(57)【要約】【課題】  発泡テープを使用した両面テープにおいても手切れ性が良くて、離型紙のゴミ発生の少ない粘着テープの提供。【解決手段】  発泡素材の長尺なテープ基材１０に幅方向に手切り用切断線１１を形成した両面テープの粘着テープ１で、切断線１１を所定の配列ピッチＰａで形成して、いずれかの切断線１１から手で容易に短時間で粘着テープを切断するようにした。また、両面テープにおける離型紙３２にも切断線１１’を形成し、これの配列ピッチＰｂをテープ基材１０の切断線１１の配列ピッチＰａの整数倍に設定する。【選択図】図１
0003106008.tif 000002
【実用新案登録請求の範囲】
【請求項１】
長尺なテープ基材の片面に粘着剤層を、他の片面に粘着剤層と離型紙を二層に有する両面テープ形粘着テープにおいて、前記テープ基材のみに長手方向に定ピッチで幅方向に複数の手切り用切断線を形成したことを特徴とする粘着テープ。
【請求項２】
前記テープ基材が発泡テープであることを特徴とする請求項１に記載の粘着テープ。
【請求項３】
前記テープ基材と離型紙の双方に、それぞれ長手方向複数箇所に幅方向に手切り用切断線を形成したことを特徴とする請求項１または２に記載の粘着テープ。
【請求項４】
前記テープ基材の切断線のテープ基材長手方向配列ピッチと、前記離型紙の切断線の離型紙長手方向配列ピッチを相違させたことを特徴とする請求項３に記載の粘着テープ。
【請求項５】
前記離型紙の切断線の離型紙長手方向配列ピッチを、前記テープ基材の切断線のテープ基材長手方向配列ピッチの整数倍に設定したことを特徴とする請求項３に記載の粘着テープ。
【請求項６】
前記テープ基材の切断線のテープ基材長手方向配列ピッチを５ｍｍ〜２０ｍｍに設定したことを特徴とする請求項１〜５のいずれかに記載の粘着テープ。
【考案の詳細な説明】
【技術分野】
【０００１】
本考案は、発泡テープなどの長尺なテープ基材に粘着剤を塗着して巻回した粘着テープに関する。
【背景技術】
【０００２】
粘着テープ（両面テープ、片面テープ）は、手で切ろうとするとテープ基材が伸びたり斜めに千切れたりして、望むように切断することが難しい。特に、発泡ポリエチレンや発泡アクリルなどの発泡素材からなる発泡テープをテープ基材に用いた両面テープは、良好に手切りすることが難しいことから、専用のテープカッターを使って切断したり、ハサミやカッターナイフを使って切断するのが通常である。
【０００３】
また、長尺なテープ基材に幅方向にミシン目状の手切り用切断線を穿孔加工により形成して、切断線から手で容易に短時間で切断できるようにした片面テープがある（例えば、特許文献１参照）。この片面テープは、テープ基材の裏面側が粘着剤が塗着された粘着面であり、表面側を粘着剤と接着しない材質にして、ロール状に巻回して製造される。
【特許文献１】特開２００１−３２７４５０号公報（図１）
【考案の開示】
【考案が解決しようとする課題】
【０００４】
専用のテープカッターやハサミ、カッターナイフは、使い方によってはテープ基材を良好にしてかつ短時間で切断することが難しいことがあり、必ずしも便利とはいえないのが現状である。また、専用のテープカッターやハサミ、カッターナイフは、粘着テープと別物であることから、その保守管理が面倒である。
【０００５】
また、テープ基材に手切り用切断線を形成した片面テープは、専用のテープカッターやハサミ、カッターナイフを使用することなく切断線から容易に手で切断できて便利であるが、このような片面テープの手切り用切断線をロール式両面テープに形成することには、次の不具合がある。
【０００６】
すなわち、長尺な発泡テープであるテープ基材の両面に粘着剤層を離型紙や転着ローラを利用して形成して、片面のみに離型紙を残して芯部材に巻き取るようにしたロール式両面テープの場合、テープ基材と粘着剤層と離型紙に貫通させてミシン目状の切断線を形成することができる。しかし、このようなロール式両面テープを家屋の壁面などの被着面に接着して使用する場合、長尺な両面テープのテープ基材を離型紙と共に所定の長さで切断し、切断した所定長さの両面テープを被着面に接着して離型紙を剥がすため、被着面の多くの箇所に１枚ずつ両面テープを接着していくと、複数の両面テープ毎に同じ長さの複数の離型紙がゴミとして発生し、そのゴミの後始末の作業に時間と労力を要することになる。このような離型紙によるゴミの問題は、両面テープをハサミやカッターナイフで切断する場合にも同様に発生する。
【０００７】
本考案の目的は、手による切断が容易であり、被着面に連続して使用してもゴミの発生の問題を少なくした粘着テープ（両面テープ）を提供することにある。
【課題を解決するための手段】
【０００８】
本考案は、長尺なテープ基材の片面に粘着剤層を、他の片面に粘着剤層と離型紙を二層に有する両面テープ形の粘着テープにおいて、テープ基材のみに長手方向に定ピッチで幅方向に複数の手切り用切断線を形成したことを特徴とする。
【０００９】
この粘着テープは、テープ基材に発泡テープを使用した両面テープとすることができる。テープ基材に幅方向に形成する手切り用切断線は、テープ基材の長手方向と直交する幅方向、あるいは、長手方向と斜交する幅方向に直線または曲線となるミシン目が、発泡テープのテープ基材を容易に短時間で手切りする上で望ましい。テープ基材のみに形成する切断線の配列ピッチは、５ｍｍ〜２０ｍｍが実用的範囲であり、用途によっては１０ｃｍを超えるピッチであってもよい。このような切断線を形成したテープ基材に対して離型紙を使って粘着剤の塗工が行われる。離型紙は、粘着剤をテープ基材に転着してテープ基材に貼着されたままテープ基材と共に巻回される。離型紙に切断線を加工せず、テープ基材のみに切断線を加工して手切りし易くすることで、多数のテープ基材を被着面に接着しても多数のテープ基材に共通の離型紙を分断することなく手元に残すことができて、離型紙によるゴミの問題を少なくすることができる。
【００１０】
また、粘着テープの用途によっては、テープ基材と離型紙の双方に、それぞれ長手方向複数箇所に幅方向に手切り用切断線を形成することができる。この場合、テープ基材の切断線のテープ基材長手方向配列ピッチと、離型紙の切断線の離型紙長手方向配列ピッチを相違させることが望ましく、実用上は、離型紙の切断線の配列ピッチをテープ基材の切断線の配列ピッチの整数倍に設定することが有効である。
【考案の効果】
【００１１】
本考案によれば、粘着テープのテープ基材が発泡テープであっても加工された切断線から手切りが容易となり、ハサミやカッターナイフのような別物を不要とするため、被着面への接着作業が容易であり、接着作業時に被着面に接着した複数の両面テープから剥離した離型紙を一枚にまとめて回収して離型紙によるゴミの問題を低減させる両面テープが提供できる。また、離型紙にも切断線を形成することで、離型紙の手切りも容易となり、離型紙回収作業が簡便な両面テープが提供できる。
【考案を実施するための最良の形態】
【００１２】
以下、本考案の実施の形態を図１〜図４を参照し、製造装置例を図５〜図７を参照して説明する。
【００１３】
図１の実施の形態で示される粘着テープ１は、発泡ポリエチレンや発泡アクリルなどの発泡素材の発泡テープであるテープ基材１０の両面に粘着剤層を有する両面テープである。テープ基材１０の片面に離型紙３２が貼着されて、離型紙３２を表側に向けて芯部材１５に巻回される。この粘着テープ１は、テープ基材１０にのみ幅方向に複数条の手切り用切断線１１を形成したことを特徴とする。複数の切断線１１の配列ピッチＰａは同一で、このピッチは５ｍｍ〜２０ｍｍの範囲が実用上に適格である。すなわち、ピッチＰａが５ｍｍより小さくなると、テープ基材１０を任意の１条の切断線１１から手切りするときに隣接する切断線から間違って手切りする可能性が大きくなる。また、２０ｍｍを超える大きさになると、テープ基材１０を手切りするときの長さ変更が大まかにしかできなくて実用的でなくなる。
【００１４】
図１の粘着テープ１の使用例を図２（Ａ）〜（Ｃ）に示す。なお、図２における符号４１、４２はテープ基材１０の両面に塗着した粘着剤層である。図２（Ａ）に示すように粘着テープ１を引き出し、その先端から離型紙３２を剥がしてテープ基材１０を所望の切断線１１のところから手で切断する。図２（Ｂ）ではテープ基材先端から１つ目の切断線１１で切断する様子を示すが、２つ目以降の切断線１１まで離型紙３２を剥離させて切断することも任意に可能である。このような切断線１１を利用した手切り切断は、テープ基材１０が発泡テープであっても容易であり、短時間で確実性よく行える。粘着テープ１の手切り切断は、先端の所定長さの粘着テープ（両面テープ）１’を図２（Ｃ）に示すように被着面２に接着した状態で行うことができる。このように被着面２の複数箇所に所定長さの粘着テープ１’を順次に接着する場合、作業員の手元の両面テープロール（図１の状態のロール）に離型紙３２が長尺なまま残る。したがって、両面テープの手切り切断の際に離型紙は切断されずに残り、ゴミとなって周辺に飛散することがない。
【００１５】
図１の粘着テープ１においては、その離型紙３２に切断線を形成することも可能であり、その具体例を図３に示す。図３に示す粘着テープ１は、離型紙３２に長手方向に所定の配列ピッチＰｂで幅方向に複数の切断線１１’を形成している。この配列ピッチＰｂは、テープ基材１０の切断線１１の配列ピッチＰａの整数倍に設定することができる。図２で説明したように粘着テープ１を所定長さ毎に手切り切断して被着面２に接着して使用する際に、手切り切断して使用した粘着テープが適当な枚数になったところで、離型紙３２が切断線１１’から手切りできるようにして、離型紙３２の手切りを容易にすると共に、手切りされた離型紙によるゴミの発生を少なくする。
【００１６】
また、離型紙３２の切断線１１’の配列ピッチＰｂをテープ基材１０の切断線１１の配列ピッチＰａの整数倍に設定して、図４に示すように、離型紙３２の切断線１１’をテープ基材１０の切断線１１のいずれかと一致させるようにする。このようにすれば、一致する切断線１１、１１’のところから離型紙を含んだ粘着テープ１を簡単に手切りすることができる。
【００１７】
図５及び図６に、図１の粘着テープ１を製造する装置の概要を示し、図７に図３の粘着テープ１を製造する装置の概要を示す。
【００１８】
図５に示すように、芯部材１２に巻回された幅広なシート状のテープ基材１０が巻き戻されて複数のガイドローラ２１で連続搬送され、最終的に芯部材１３に巻き取られる。このテープ基材１０の搬送ラインに沿う定位置に加工ポジションＰ１が設置され、この加工ポジションＰ１に配置された切断線形成手段５０、例えば一対の穿孔刃ローラ５１と受けローラ５３でテープ基材１０に長手方向と直交する幅方向にミシン目状の手切り用切断線１１を穿孔加工する。穿孔刃ローラ５１はテープ基材１０の幅方向に延在する円柱で、外周面の９０°間隔の４箇所に軸方向に連続するミシン目状の穿孔刃５２を突設し、テープ基材１０の上面に沿って同速で回転する。穿孔刃ローラ５１が９０°回転する毎に一列の穿孔刃５２がテープ基材１０に突き刺さって抜け、テープ基材１０に幅方向に一条の切断線１１を形成する。受けローラ５３は、穿孔刃ローラ５１による切断線加工時のテープ基材変形を抑制して、切断線加工を良好に行わしめる。なお、切断線１１の穿孔加工は、加工ポジションＰ１で上下動するトムソン刃（図示せず）で形成することも可能である。
【００１９】
加工ポジションＰ１のすぐ後続の定位置に設置された塗工ポジションＰ２から、長尺な第１の離型紙３１による粘着剤転着が開始される。芯部材１４に巻回された幅広なシート状の離型紙３１を巻き戻して複数のガイドローラ２３、２４で連続搬送し、搬送途中で離型紙３１の片面を粘着剤タンク２４内の粘着剤４０に通過させて第１の粘着剤層４１を付着させる。この第１の離型紙３１を切断線形成済みのテープ基材１０の片面に塗工ポジションＰ２で接触させ、そのままテープ基材１０と共に芯部材１３に巻き取らせるようにして、第１の粘着剤層４１をテープ基材１０の片面に転着する。塗工ポジションＰ２に配置した一対の転着ローラ２２、２２’の間にテープ基材１０と第１の離型紙３１を通し、両者を互いに相手に押し付けるようにすることで、粘着剤転着が確実性良く行われる。
【００２０】
図６に示すように、芯部材１３に巻き取られた粘着テープロールからテープ基材１０を第１の離型紙３１と共にガイドローラ２５で引き出して連続搬送し、テープ基材１０を別の芯部材１５に巻き取らせる。この間にテープ基材１０の片面の第１の離型紙３１を、転着ローラ２２でテープ基材１０の片面から分離させて芯部材１７に巻き取らせる。また、別の芯部材１６に巻回された幅広なシート状の第２の離型紙３２を巻き戻して複数のガイドローラ２３、２４に沿わせて連続搬送し、搬送する途中で第２の離型紙３２の片面に粘着剤タンク２４内の粘着剤４０を塗着して第２の粘着剤層４２とする。この第２の離型紙３２とテープ基材１０を一対の転着ローラ２２、２２’の間に通して、両者を互いに相手に押し付けるようにして第２の粘着剤層４２をテープ基材１０の片面に転着し、そのまま第２の離型紙３２をテープ基材１０と共に芯部材１５に巻き取らせる。芯部材１５に巻き取られた両面テープロールを所定の幅毎に切断することで、図１の粘着テープ１が得られる。
【００２１】
なお、図６の段階でテープ基材１０から剥離されて芯部材１７に巻回された第１の離型紙３１は切断線のない元のシート状のままであるので、そのまま次の両面テープの製造に使用することができ、このように離型紙を再使用することで資源の有効利用と粘着テープ製造コストの低減が図れる。
【００２２】
離型紙３２にも切断線１１’を形成する場合は、図７に示すように第２の離型紙３２の搬送ラインに沿って切断線形成手段５０’を配備すればよい。切断線形成手段５０’は、芯部材１６から粘着剤タン２７に向かう第２の離型紙３２に沿って配置された穿孔刃ローラ５４で、周面に等間隔でミシン目状の穿孔刃５５を有する。穿孔刃ローラ５４が第２の離型紙３２と同速で回転して、穿孔刃５５が第２の離型紙３２に幅方向にミシン目状の切断線１１’を形成する。
【図面の簡単な説明】
【００２３】
【図１】本考案の粘着テープの実施の形態を示す斜視図である。
【図２】（Ａ）は図１の粘着テープの部分側面図、（Ｂ）は離型紙剥離時の側面図、（Ｃ）は使用状態の側面図である。
【図３】本考案の粘着テープの他の実施の形態を示す斜視図である。
【図４】図３の粘着テープの一部省略部分を含む部分平面図である。
【図５】図１の粘着テープを製造する装置の概要を示す一部拡大断面を含む側面図である。
【図６】図１の粘着テープを製造する装置の別の部分の概要を示す一部拡大断面を含む側面図である。
【図７】図３の粘着テープを製造する装置の概要を示す一部拡大断面を含む側面図である。
【符号の説明】
【００２４】
１    粘着テープ
２    被着面
１０    テープ基材
１１、１１’    切断線
３１、３２    離型紙
４１、４２    粘着剤層
【図１】
0003106008.tif 000003
【図２】
0003106008.tif 000004
【図３】
0003106008.tif 000005
【図４】
0003106008.tif 000006
【図５】
0003106008.tif 000007
【図６】
0003106008.tif 000008
【図７】
0003106008.tif 000009